(57)【要約】【課題】防犯対策を施していない既成の回胴式遊技機に対しても、その回胴式遊技機を改造することなく、出玉率の設定変更や設定確認等の不正行為を検知して報知することができるようにする。【解決手段】出玉率の設定変更と設定確認を行うための設定キー及びこれを差し込むためのキーシリンダとからなる設定スイッチを有する回胴式遊技機に、そのキーシリンダに設定キーが差し込まれたことを検知するためのキー差込み検知センサを配設した不正報知装置であって、キー差込み検知センサから出力される差込み検知信号により、キーシリンダに設定キーが差し込まれたか否かを判定するキー差込み判定手段８０ｂと、キーシリンダへの設定キーの差し込みがあったと判定したときに、不正行為が行われていることを報知する不正行為報知手段８０ｅとを有することを特徴としている。【選択図】図９
2007215949.tif 000002
【特許請求の範囲】
【請求項１】
出玉率の設定変更と設定確認を行うための設定キー及びこれを差し込むためのキーシリンダとからなる設定スイッチを有する回胴式遊技機に、そのキーシリンダに設定キーが差し込まれたことを検知するためのキー差込み検知センサを配設した不正報知装置であって、
キー差込み検知センサから出力される差込み検知信号により、キーシリンダに設定キーが差し込まれたか否かを判定するキー差込み判定手段と、
キーシリンダへの設定キーの差し込みがあったと判定したときに、不正行為が行われていることを報知する不正行為報知手段とを有することを特徴とする不正報知装置。
【請求項２】
出玉率の設定変更と設定確認を行うための設定キー及びこれを差し込むためのキーシリンダとからなる設定スイッチと、電源装置とを有する回胴式遊技機に、そのキーシリンダに設定キーが差し込まれたことを検知するためのキー差込み検知センサと、電源装置のオン／オフ状態を検出するための電源オン／オフ検出センサとを配設した不正報知装置であって、
電源オン／オフ検出センサから出力される検出信号により、電源装置のオン／オフ状態を判定する電源状態判定手段と、
キー差込み検知センサから出力される差込み検知信号により、キーシリンダに設定キーが差し込まれたか否かを判定するキー差込み判定手段と、
電源状態判定手段で検出した電源装置のオン／オフ状態と、キー差込み判定手段により判定したキーシリンダへの設定キーの差し込みの有無との組み合わせが所定のものになったか否かを判定する不正行為判定手段と、
電源装置のオン／オフ状態と、キーシリンダへの設定キーの差し込みの有無との組み合わせが所定のものになったと判定したときに、不正行為が行われていることを報知する不正行為報知手段とを有することを特徴とする不正報知装置。
【請求項３】
出玉率の設定変更と設定確認を行うための設定キー及びこれを差し込むためのキーシリンダとからなる設定スイッチと、電源装置とを有する回胴式遊技機に、そのキーシリンダに設定キーが差し込まれたことを検知するためのキー差込み検知センサと、電源装置のオン／オフ状態を検出するための電源オン／オフ検出センサとを配設した不正報知装置であって、
電源オン／オフ検出センサから出力される検出信号により、電源装置がオン状態であるか否かを判定する電源状態判定手段と、
キー差込み検知センサから出力される差込み検知信号により、キーシリンダに設定キーが差し込まれたか否かを判定するキー差込み判定手段と、
電源装置がオン状態であるときに、キーシリンダに設定キーが差し込まれたか否かを判定する不正行為判定手段と、
電源装置がオン状態のときに、キーシリンダに設定キーが差し込まれたと判定した場合には、不正行為が行われていることを報知する不正行為報知手段とを有することを特徴とする不正報知装置。
【請求項４】
出玉率の設定変更と設定確認を行うための設定キー及びこれを差し込むためのキーシリンダとからなる設定スイッチと、電源装置とを有する回胴式遊技機に、そのキーシリンダに設定キーが差し込まれたことを検知するためのキー差込み検知センサと、電源装置のオン／オフ状態を検出するための電源オン／オフ検出センサとを配設した不正報知装置であって、
電源オン／オフ検出センサから出力される検出信号により、電源装置がオフ状態であるか否かを判定する電源状態判定手段と、
キー差込み検知センサから出力される差込み検知信号により、キーシリンダに設定キーが差し込まれたか否かを判定するキー差込み判定手段と、
電源装置がオフ状態であるときにキーシリンダに設定キーが差し込まれ、かつ、キーシリンダに設定キーが差し込まれているときに電源装置がオン状態になったか否かを判定する不正行為判定手段と、
電源装置がオフ状態であるときにキーシリンダに設定キーが差し込まれ、かつ、キーシリンダに設定キーが差し込まれているときに電源装置がオン状態になったと判定した場合には、不正行為が行われていることを報知する不正行為報知手段とを有することを特徴とする不正報知装置。
【請求項５】
請求項１〜４のいずれかに記載したキー差込み検知センサが、回胴式遊技機から取り外されたことを検出するための取外し検知センサを配設しておき、
その取外し検知センサから出力された取外し検知信号により、キー差込み検知センサが回胴式遊技機から取り外されたか否かを判定する取外し判定手段と、
この取外し判定手段により、キー差込み検知センサが回胴式遊技機から取り外されたと判定したときには、取り外されたことを報知するセンサ取外し報知手段とを設けたことを特徴とする不正報知装置。
【請求項６】
キー差込み検知センサと、取外し検知センサとを一体に形成していることを特徴とする請求項５に記載の不正報知装置に用いる検知器。
【請求項７】
出玉率の設定変更と設定確認を行うための設定キー及びこれを差し込むためのキーシリンダとからなる設定スイッチを有する回胴式遊技機に、そのキーシリンダに差し込まれている設定キーが操作されたことを検知するためのキー操作検知センサを配設した不正報知装置であって、
キー操作検知センサから出力されるキー操作検知信号により、キーシリンダに差し込まれた設定キーがオン操作されたか否かを判定するキー操作判定手段と、
キーシリンダに差し込まれている設定キーがオン操作されたと判定したときには、不正行為が行われていることを報知する不正行為報知手段とを有することを特徴とする不正報知装置。
【請求項８】
出玉率の設定変更と設定確認を行うための設定キー及びこれを差し込むためのキーシリンダとからなる設定スイッチと、電源装置とを有する回胴式遊技機に、そのキーシリンダに差し込まれている設定キーが操作されたことを検知するためのキー操作検知センサと、電源装置のオン／オフ状態を検出するための電源オン／オフ検出センサとを配設した不正報知装置であって、
電源オン／オフ検出センサから出力される検出信号により、電源装置のオン／オフ状態を判定する電源状態判定手段と、
キー操作検知センサから出力されるキー操作検知信号により、キーシリンダに差し込まれた設定キーが操作されたか否かを判定するキー操作判定手段と、
電源状態判定手段で検出した電源のオン／オフ状態と、キー操作判定手段で検知した設定キーの操作の有無との組み合わせが所定のものになったか否かを判定する不正行為判定手段と、
電源状態判定手段で検出した電源装置のオン／オフ状態と、キーシリンダに差し込んだ設定キーの操作の有無との組み合わせが所定のものになったと判定したときに、不正行為が行われていることを報知する不正行為報知手段とを有することを特徴とする不正報知装置。
【請求項９】
出玉率の設定変更と設定確認を行うための設定キー及びこれを差し込むためのキーシリンダとからなる設定スイッチと、電源装置とを有する回胴式遊技機に、そのキーシリンダに差し込まれている設定キーが操作されたことを検知するためのキー操作検知センサと、電源装置のオン／オフ状態を検出するための電源オン／オフ検出センサとを配設した不正報知装置であって、
電源オン／オフ検出センサから出力される検出信号により、電源装置がオン状態であるか否かを判定する電源状態判定手段と、
キー操作検知センサから出力されるキー操作検知信号により、キーシリンダに差し込まれた設定キーがオン操作されたか否かを判定するキー操作判定手段と、
電源装置がオン状態であるときに、キーシリンダに差し込まれた設定キーがオン操作されたか否かを判定する不正行為判定手段と、
電源装置がオン状態のときに、キーシリンダに差し込まれている設定キーがオン操作されたと判定した場合には、不正行為が行われていることを報知する不正行為報知手段とを有することを特徴とする不正報知装置。
【請求項１０】
出玉率の設定変更と設定確認を行うための設定キー及びこれを差し込むためのキーシリンダとからなる設定スイッチと、電源装置とを有する回胴式遊技機に、そのキーシリンダに差し込まれている設定キーが操作されたことを検知するためのキー操作検知センサと、電源装置のオン／オフ状態を検出するための電源オン／オフ検出センサとを配設した不正報知装置であって、
電源オン／オフ検出センサから出力される検出信号により、電源装置のオン／オフ状態を判定する電源状態判定手段と、
キー操作検知センサから出力されるキー操作検知信号により、キーシリンダに差し込まれている設定キーがオン操作されたか否かを判定するキー操作判定手段と、
電源装置がオフ状態であるときに、キーシリンダに差し込まれている設定キーがオン操作され、かつ、キーシリンダに差し込まれている設定キーがオン操作されているときに、電源装置がオン状態になったか否かを判定する不正行為判定手段と、
電源装置がオフ状態であるときに、キーシリンダに差し込まれている設定キーがオン操作され、かつ、キーシリンダに差し込まれている設定キーがオン操作されているときに、電源装置がオン状態になったと判定した場合には、不正行為が行われていることを報知する不正行為報知手段とを有することを特徴とする不正報知装置。
【請求項１１】
請求項７〜１０のいずれかに記載したキー操作検知センサが、回胴式遊技機から取り外されたことを検出するための取外し検知センサを配設しておき、
その取外し検知センサから出力された取外し検知信号により、キー操作検知センサが回胴式遊技機から取り外されたか否かを判定する取外し判定手段と、
この取外し判定手段により、キー操作検知センサが回胴式遊技機から取り外されたと判定したときには、取り外されたことを報知するセンサ取外し報知手段とを設けたことを特徴とする不正報知装置。
【請求項１２】
キー操作検知センサと、取外し検知センサとを一体に形成していることを特徴とする請求項１１に記載の不正報知装置に用いる検知器。
【請求項１３】
請求項１〜１１のいずれかに記載した不正報知装置が、電気通信回線を介してホールコンピュータに接続されており、不正行為報知手段は、ホールコンピュータに向けて不正行為が行われていることを示す報知情報を送出することを特徴とする不正報知装置。
【請求項１４】
出玉率の設定変更と設定確認を行うための設定キー及びこれを差し込むためのキーシリンダとからなる設定スイッチと、電源装置とを有する１又は２台以上の回胴式遊技機に、電気通信回線を介してホールコンピュータが接続されているとともに、上記キーシリンダに設定キーが差し込まれたことを検知するためのキー差込み検知センサと、電源装置のオン／オフ状態を検出するための電源オン／オフ検出センサとを配設した遊技システムであって、電源オン／オフ検出センサから出力される検出信号により、電源装置のオン／オフ状態を判定する電源状態判定手段と、キー差込み検知センサから出力される差込み検知信号により、キーシリンダに設定キーが差し込まれたか否かを判定するキー差込み判定手段と、電源状態判定手段で検出した電源装置のオン／オフ状態と、キー差込み判定手段により判定したキーシリンダへの設定キーの差し込みの有無との組み合わせが所定のものになったか否かを判定する不正行為判定手段と、電源装置のオン／オフ状態と、キーシリンダへの設定キーの差し込みの有無との組み合わせが所定のものになったと判定したときに、不正行為が行われていることを報知する不正行為報知手段とをホールコンピュータに設けたことを特徴とする遊技システム。
【発明の詳細な説明】
【技術分野】
【０００１】
本発明は、例えばスロットマシン等の回胴式遊技機に関し、特に出玉率の設定変更と設定確認を行うための設定スイッチに関わる不正行為等を防止することができる不正報知装置、不正報知装置に用いる検知器及び遊技システムに関する。
【背景技術】
【０００２】
近年、スロットマシン等の回胴式遊技機に対し不正な行為を働く不正行為者が問題となっている。一例を示すと、回胴式遊技機の筐体を開けて内部システムを不正に操作することによって、実際にはメダルを投入していないにも拘わらず遊技を行い、あるいは筐体内に針金等の持具を挿入して内部システムを不正に操作することにより、大量のメダルの払い出しを受けられるように改変する等の行為である。
こうした不正行為や不正行為者を発見すべく、遊技場側の事業者等が遊技場内を巡回することによって不正防止対策を講じているものの、巡回者の目を盗んで巧妙に不正行為が行われているため、必ずしも十分な効果が得られていない。
【０００３】
上記した不正行為を防止すべく、特開２００５−３０４８３７公報（特許文献１）に開示された構成の回胴式遊技機がある。
この回胴式遊技機は、主制御基板から出力される、例えば施錠機構が開錠操作された際に出力される開錠信号（ドアセンサ信号）と、出玉率の設定を変更する設定ボタンが操作された際に出力される設定信号との論理和演算を行い、この演算結果を外部集中端子基板に送信し、また、共用される通信ポートに割り当てられる不正防止信号毎にＬＥＤがそれぞれの状態を保持し、解除されるまでの間、その状態を表示するようにした構成のものである。
【０００４】
この構成によれば、主制御基板から出力される施錠機構が開錠操作された際に出力される開錠信号と、出玉率の設定を変更する設定スイッチが操作された際に出力される設定信号の論理和演算を行い、外部集中端子基板へ送信することで、通信ポートの拡張を容易に図ることができ、より実効性のある不正防止対策を講じることができるとしている。
【０００５】
【特許文献１】特開２００５−３０４８３７号公報
【発明の開示】
【発明が解決しようとする課題】
【０００６】
しかしながら、特許文献１に記載された発明では、回胴式遊技機に設けられている施錠機構が開錠操作された際に出力される開錠信号と、出玉率の設定を変更する設定ボタンが操作された際に出力される設定信号の論理和演算を行う必要があるため、施錠機構の開錠操作をすることなく、設定ボタンだけを操作することによるゴト、すなわち不正行為を発見することができないという問題がある。
【０００７】
そこで本発明は、防犯対策を施していない既成の回胴式遊技機に対しても、その回胴式遊技機を改造することなく、出玉率の設定変更や設定確認等の不正行為を検知して報知することができる不正報知装置、不正報知装置、不正報知装置に用いる検知器及び遊技システムの提供を目的としている。
【課題を解決するための手段】
【０００８】
上記目的を達成するための本発明の構成は、次のとおりである。
請求項１に記載した不正報知装置は、出玉率の設定変更と設定確認を行うための設定キー及びこれを差し込むためのキーシリンダとからなる設定スイッチを有する回胴式遊技機に、そのキーシリンダに設定キーが差し込まれたことを検知するためのキー差込み検知センサを配設した構成のものであり、キー差込み検知センサから出力される差込み検知信号により、キーシリンダに設定キーが差し込まれたか否かを判定するキー差込み判定手段と、キーシリンダへの設定キーの差し込みがあったと判定したときに、不正行為が行われていることを報知する不正行為報知手段とを有することを特徴としている。
【０００９】
請求項２に記載した不正報知装置は、出玉率の設定変更と設定確認を行うための設定キー及びこれを差し込むためのキーシリンダとからなる設定スイッチと、電源装置とを有する回胴式遊技機に、そのキーシリンダに設定キーが差し込まれたことを検知するためのキー差込み検知センサと、電源装置のオン／オフ状態を検出するための電源オン／オフ検出センサとを配設した構成のものであり、電源オン／オフ検出センサから出力される検出信号により、電源装置のオン／オフ状態を判定する電源状態判定手段と、キー差込み検知センサから出力される差込み検知信号により、キーシリンダに設定キーが差し込まれたか否かを判定するキー差込み判定手段と、電源状態判定手段で検出した電源装置のオン／オフ状態と、キー差込み判定手段により判定したキーシリンダへの設定キーの差し込みの有無との組み合わせが所定のものになったか否かを判定する不正行為判定手段と、電源装置のオン／オフ状態と、キーシリンダへの設定キーの差し込みの有無との組み合わせが所定のものになったと判定したときに、不正行為が行われていることを報知する不正行為報知手段とを有することを特徴としている。
【００１０】
請求項３に記載した不正報知装置は、出玉率の設定変更と設定確認を行うための設定キー及びこれを差し込むためのキーシリンダとからなる設定スイッチと、電源装置とを有する回胴式遊技機に、そのキーシリンダに設定キーが差し込まれたことを検知するためのキー差込み検知センサと、電源装置のオン／オフ状態を検出するための電源オン／オフ検出センサとを配設した不正報知装置であって、電源オン／オフ検出センサから出力される検出信号により、電源装置がオン状態であるか否かを判定する電源状態判定手段と、キー差込み検知センサから出力される差込み検知信号により、キーシリンダに設定キーが差し込まれたか否かを判定するキー差込み判定手段と、電源装置がオン状態であるときに、キーシリンダに設定キーが差し込まれたか否かを判定する不正行為判定手段と、電源装置がオン状態のときに、キーシリンダに設定キーが差し込まれたと判定した場合には、不正行為が行われていることを報知する不正行為報知手段とを有することを特徴としている。
【００１１】
請求項４に記載した不正報知装置は、出玉率の設定変更と設定確認を行うための設定キー及びこれを差し込むためのキーシリンダとからなる設定スイッチと、電源装置とを有する回胴式遊技機に、そのキーシリンダに設定キーが差し込まれたことを検知するためのキー差込み検知センサと、電源装置のオン／オフ状態を検出するための電源オン／オフ検出センサとを配設した構成のものであり、電源オン／オフ検出センサから出力される検出信号により、電源装置がオフ状態であるか否かを判定する電源状態判定手段と、キー差込み検知センサから出力される差込み検知信号により、キーシリンダに設定キーが差し込まれたか否かを判定するキー差込み判定手段と、電源装置がオフ状態であるときにキーシリンダに設定キーが差し込まれ、かつ、キーシリンダに設定キーが差し込まれているときに電源装置がオン状態になったか否かを判定する不正行為判定手段と、電源装置がオフ状態であるときにキーシリンダに設定キーが差し込まれ、かつ、キーシリンダに設定キーが差し込まれているときに電源装置がオン状態になったと判定した場合には、不正行為が行われていることを報知する不正行為報知手段とを有することを特徴としている。
【００１２】
請求項５に記載した不正報知装置は、請求項１〜４のいずれかに記載したキー差込み検知センサが、回胴式遊技機から取り外されたことを検出するための取外し検知センサを配設しておき、その取外し検知センサから出力された取外し検知信号により、キー差込み検知センサが回胴式遊技機から取り外されたか否かを判定する取外し判定手段と、この取外し判定手段により、キー差込み検知センサが回胴式遊技機から取り外されたと判定したときには、取り外されたことを報知するセンサ取外し報知手段とを設けたことを特徴としている。
【００１３】
請求項６に記載した不正報知装置に用いる検知器は、キー差込み検知センサと、取外し検知センサとを一体に形成していることを特徴としている。
【００１４】
請求項７に記載した不正報知装置は、出玉率の設定変更と設定確認を行うための設定キー及びこれを差し込むためのキーシリンダとからなる設定スイッチを有する回胴式遊技機に、そのキーシリンダに差し込まれている設定キーが操作されたことを検知するためのキー操作検知センサを配設した構成のものであり、キー操作検知センサから出力されるキー操作検知信号により、キーシリンダに差し込まれた設定キーがオン操作されたか否かを判定するキー操作判定手段と、キーシリンダに差し込まれている設定キーがオン操作されたと判定したときには、不正行為が行われていることを報知する不正行為報知手段とを有することを特徴としている。
【００１５】
請求項８に記載した不正報知装置は、出玉率の設定変更と設定確認を行うための設定キー及びこれを差し込むためのキーシリンダとからなる設定スイッチと、電源装置とを有する回胴式遊技機に、そのキーシリンダに差し込まれている設定キーが操作されたことを検知するためのキー操作検知センサと、電源装置のオン／オフ状態を検出するための電源オン／オフ検出センサとを配設した構成のものであり、電源オン／オフ検出センサから出力される検出信号により、電源装置のオン／オフ状態を判定する電源状態判定手段と、キー操作検知センサから出力されるキー操作検知信号により、キーシリンダに差し込まれた設定キーが操作されたか否かを判定するキー操作判定手段と、電源状態判定手段で検出した電源のオン／オフ状態と、キー操作判定手段で検知した設定キーの操作の有無との組み合わせが所定のものになったか否かを判定する不正行為判定手段と、電源状態判定手段で検出した電源装置のオン／オフ状態と、キーシリンダに差し込んだ設定キーの操作の有無との組み合わせが所定のものになったと判定したときに、不正行為が行われていることを報知する不正行為報知手段とを有することを特徴としている。
【００１６】
請求項９に記載した不正報知装置は、出玉率の設定変更と設定確認を行うための設定キー及びこれを差し込むためのキーシリンダとからなる設定スイッチと、電源装置とを有する回胴式遊技機に、そのキーシリンダに差し込まれている設定キーが操作されたことを検知するためのキー操作検知センサと、電源装置のオン／オフ状態を検出するための電源オン／オフ検出センサとを配設した構成のものであり、電源オン／オフ検出センサから出力される検出信号により、電源装置がオン状態であるか否かを判定する電源状態判定手段と、キー操作検知センサから出力されるキー操作検知信号により、キーシリンダに差し込まれた設定キーがオン操作されたか否かを判定するキー操作判定手段と、電源装置がオン状態であるときに、キーシリンダに差し込まれた設定キーがオン操作されたか否かを判定する不正行為判定手段と、電源装置がオン状態のときに、キーシリンダに差し込まれている設定キーがオン操作されたと判定した場合には、不正行為が行われていることを報知する不正行為報知手段とを有することを特徴としている。
【００１７】
請求項１０に記載した不正報知装置は、出玉率の設定変更と設定確認を行うための設定キー及びこれを差し込むためのキーシリンダとからなる設定スイッチと、電源装置とを有する回胴式遊技機に、そのキーシリンダに差し込まれている設定キーが操作されたことを検知するためのキー操作検知センサと、電源装置のオン／オフ状態を検出するための電源オン／オフ検出センサとを配設した不正報知装置であって、電源オン／オフ検出センサから出力される検出信号により、電源装置のオン／オフ状態を判定する電源状態判定手段と、キー操作検知センサから出力されるキー操作検知信号により、キーシリンダに差し込まれている設定キーがオン操作されたか否かを判定するキー操作判定手段と、電源装置がオフ状態であるときに、キーシリンダに差し込まれている設定キーがオン操作され、かつ、キーシリンダに差し込まれている設定キーがオン操作されているときに、電源装置がオン状態になったか否かを判定する不正行為判定手段と、電源装置がオフ状態であるときに、キーシリンダに差し込まれている設定キーがオン操作され、かつ、キーシリンダに差し込まれている設定キーがオン操作されているときに、電源装置がオン状態になったと判定した場合には、不正行為が行われていることを報知する不正行為報知手段とを有することを特徴としている。
【００１８】
請求項１１に記載の不正報知装置は、請求項７〜１０のいずれかに記載したキー操作検知センサが、回胴式遊技機から取り外されたことを検出するための取外し検知センサを配設しておき、その取外し検知センサから出力された取外し検知信号により、キー操作検知センサが回胴式遊技機から取り外されたか否かを判定する取外し判定手段と、この取外し判定手段により、キー操作検知センサが回胴式遊技機から取り外されたと判定したときには、取り外されたことを報知するセンサ取外し報知手段とを設けたことを特徴としている。
【００１９】
請求項１２に記載の不正報知装置に用いる検知器は、請求項１１に記載したキー操作検知センサと、取外し検知センサとを一体に形成していることを特徴としている。
【００２０】
請求項１３に記載した不正報知装置は、請求項１〜１１のいずれかに記載した不正報知装置が、電気通信回線を介してホールコンピュータに接続されており、不正行為報知手段は、ホールコンピュータに向けて不正行為が行われていることを示す報知情報を送出することを特徴としている。
【００２１】
請求項１４に記載した遊技システムは、出玉率の設定変更と設定確認を行うための設定キー及びこれを差し込むためのキーシリンダとからなる設定スイッチと、電源装置とを有する１又は２台以上の回胴式遊技機に、電気通信回線を介してホールコンピュータが接続されているとともに、上記キーシリンダに設定キーが差し込まれたことを検知するためのキー差込み検知センサと、電源装置のオン／オフ状態を検出するための電源オン／オフ検出センサとを配設した遊技システムであって、電源オン／オフ検出センサから出力される検出信号により、電源装置のオン／オフ状態を判定する電源状態判定手段と、キー差込み検知センサから出力される差込み検知信号により、キーシリンダに設定キーが差し込まれたか否かを判定するキー差込み判定手段と、電源状態判定手段で検出した電源装置のオン／オフ状態と、キー差込み判定手段により判定したキーシリンダへの設定キーの差し込みの有無との組み合わせが所定のものになったか否かを判定する不正行為判定手段と、電源装置のオン／オフ状態と、キーシリンダへの設定キーの差し込みの有無との組み合わせが所定のものになったと判定したときに、不正行為が行われていることを報知する不正行為報知手段とをホールコンピュータに設けたことを特徴としている。
【発明の効果】
【００２２】
請求項１〜１４に記載した発明によれば、防犯対策を施していない既成の回胴式遊技機に対しても、その回胴式遊技機を改造することなく、出玉率の設定変更や設定確認等の不正行為を検知して報知することができる。
【００２３】
請求項１〜１４に記載の発明で得られる上記共通の効果に加え、各請求項に記載した発明によれば、次の各効果を得ることができる。
請求項２に記載した発明によれば、電源装置のオン／オフ状態と、キーシリンダに差し込んだ設定キーの有無との組み合わせが所定のものになったと判定したときに、不正行為が行われていることを報知しているので、出玉率の設定変更や設定確認等の不正行為を検知して報知することができる。
【００２４】
請求項３に記載した発明によれば、電源装置がオン状態のときに、設定キーがキーシリンダに差し込まれたと判定したときに、不正行為が行われていることを報知しているので、出玉率の設定確認を不正に行っていることを報知することができる。
【００２５】
請求項４に記載した発明によれば、電源装置がオフ状態のときに、キーシリンダに設定キーが差し込まれたことが検知され、かつ、キーシリンダに設定キーが差し込まれているときに、電源装置がオン状態になったと判定したときに、不正行為が行われていることを報知しているので、出玉率の設定変更を不正に行っていることを報知することができる。
【００２６】
請求項５に記載した発明によれば、キー差込み検知センサが回胴式遊技機から取り外されたと判定したときには、取り外されたことを報知しているので、不正行為を防止することができる。
【００２７】
請求項６に記載した発明によれば、キー差込み検知センサと、取外し検知センサとを一体に形成しているので、それらセンサの取り付けを一度に行うことができる。
【００２８】
請求項８に記載した発明によれば、電源装置のオン／オフ状態と、キーシリンダに差し込んだ設定キーの操作の有無との組み合わせが所定のものになったと判定したときに、不正行為が行われていることを報知しているので、出玉率の設定変更や設定確認等の不正行為を検知して報知することができる。
【００２９】
請求項９に記載した発明によれば、電源装置がオン状態のときに、キーシリンダに差し込まれている設定キーが操作されたと判定した場合には、不正行為が行われていることを報知するので、出玉率の設定確認を不正に行っていることを検知して報知することができる。
【００３０】
請求項１０に記載した発明によれば、電源装置がオフ状態であるときに、キーシリンダに差し込まれている設定キーがオン操作され、かつ、キーシリンダに差し込まれている設定キーがオン操作されているときに、電源装置がオン状態になったと判定した場合には、不正行為が行われていることを報知しているので、出玉率の設定変更を不正に行っていることを報知することができる。
【００３１】
請求項１１に記載した発明によれば、キー操作検知センサが回胴式遊技機から取り外されたと判定したときには、取り外されたことを報知するので、不正行為を防止することができる。
【００３２】
請求項１２に記載した発明によれば、キー操作検知センサと、取外し検知センサとを一体に形成しているので、それらセンサの取り付けを一度に行うことができる。
【００３３】
請求項１３に記載した発明によれば、ホールコンピュータに向けて不正行為が行われていることを示す報知情報を送出しているので、多数の回胴式遊技機に対する各不正行為を一元的に管理することができる。
【００３４】
請求項１４に記載した発明によれば、キー差込み検知手段、電源状態検出手段、不正行為判定手段、及び報知手段をホールコンピュータに設けているので、これらの機能を有する外部装置を別個に設ける必要がない。
【発明を実施するための最良の形態】
【００３５】
以下、本発明について図１〜図５を参照して説明する。図１は、本発明の一実施形態に係る不正報知装置を適用する回胴式遊技機の外観を示す正面図、図２は、その回胴式遊技機の内部構造を示すようにフロントドアを開いた状態を示す正面図、図３は、回胴式遊技機の回路構成を示すブロック図、図４は、本発明の一実施形態に係る不正報知装置の全体構成を簡略化して示すブロック図である。
【００３６】
図１，２に示すように、本発明の一実施形態に係る不正報知装置Ａを適用する回胴式遊技機Ｂは、略縦長の直方体形にした筐体１０の正面に、フロントドア１１を開閉可能に取り付けた外観構成になっている。
フロントドア１１は、硬質プラスチック等で成形された上部パネル部１２、中部パネル部１３及び下部パネル部１４から構成されている。
【００３７】
上部パネル部１２には、上部ランプと呼称される演出用ランプ１２ａ、図示しないスピーカが取り付けられた放音部１２ｂ，１２ｂ、及び液晶ディスプレイ等で形成された演出表示装置１２ｃが配設されている。
【００３８】
中部パネル部１３には、透明な硬質プラスチック等で形成された略長方形の透過窓１４の両側に演出用ランプ１５，１６を、また、その透過窓１４の下側に、遊技者が操作するための操作部１８が配設されている。
透過窓１４は、上記した筐体１０に内蔵したリール装置１７の３つの回胴リール１７ａ，１７ｂ，１７ｃを遊技者が視認できる位置に形成されている。
【００３９】
操作部１８は、遊技を行うために必要なメダルを投入するためのメダル投入部１９、１ゲーム当たりのメダル数を提示するためのベットボタン２０〜２２、１ゲームの開始を指示するためのスタートレバー２３と、回転中の回胴リール１７ａ，１７ｂ，１７ｃを個別に停止させるためのストップボタン２４〜２６、遊技者が獲得したメダルの払い出しを指示するための精算ボタン２７が配設されている。
【００４０】
メダル投入部１９の近傍には、フロントドア１１を開錠するための鍵穴１１ａが設けられている。そして、遊技場側の事業者や管理者が、鍵穴１１ａに正規の鍵を挿入して開錠操作すると、後述の施錠機構１１ｂを解除し、フロントドア１１を筐体１０から開くことができるようになっている。
【００４１】
下部パネル部１４には、回胴式遊技機（以下「スロットマシン」という）Ｂのゲーム内容を紹介等するための画像（図示していない）が上半部側に描画されており、また、下半部側に、遊技者の獲得した枚数のメダルを払い出すための排出口２８，受皿２９及びスピーカが取り付けられた放音部３０が配設されている。
【００４２】
次に、図２を参照して、フロントドア１１の裏面構造と、筐体１０の内部構造について説明する。
フロントドア１１の裏面上部には、上述の放音部１２ｂ，１２ｂを構成する演出用スピーカ３１，３２が設けられており、それらの演出用スピーカ３１，３２の間に演出表示装置３３が設けられているとともに、その演出表示装置３３の裏面側には、絶縁性樹脂基板上に集積回路装置（ＩＣ）等を搭載して配線接続したサブ制御基板３４が取り付けられている。
【００４３】
演出表示装置３３とサブ制御基板３４の下方には、上述した透過窓１４と中部パネル１３のパネル面とが形成された略長方形の枠体３５が取り付けられている。
枠体３５の下方には、前記したメダル投入部１９から投入される投入物が、正規のメダルか否かを判別して振り分けるセレクト機構３６と、このセレクト機構３６で振り分けられたメダルを筐体１０側に設けられているホッパ装置３７に案内するガイド部材３８と、セレクト機構３６で振り分けられた正規のメダル以外の異物を排出口２８に案内するガイド部材３９と、ホッパ装置３７から出力される払い出し用のメダルを排出口２８へ案内するガイド部材４０が設けられており、また、排出口２８の近傍に、放音部３０を構成する演出用スピーカ４１が取り付けられている。
【００４４】
上述の枠体３５とセレクト機構３６との間には、横長の中央表示基板４２が取り付けられており、この中央表示基板４２の一端に、セグメント表示を行うための設定表示素子４３と、設定ボタン４４とが設けられている。
すなわち、中央表示基板４２もサブ制御基板３４と同様に絶縁性樹脂基板上に集積回路装置（ＩＣ）等を搭載しているとともに、上記した設定表示素子４３と設定ボタン４４とを搭載して配線接続されている。
【００４５】
セレクト機構３６の側方に上述の施錠機構１１ｂが設けられており、筐体１０の一端にロック部材１１ｃが固定されている。そして、フロントドア１１を筐体１０側に閉じると、施錠機構１１ｂがロック部材１１ｃに嵌着することによってフロントドア１１を施錠し、一方、上述したように正規の鍵で開錠操作すると、施錠機構１１ｂがロック部材１１ｃから外れることによってフロントドア１１を開錠することができるようになっている。
【００４６】
前記した筐体１０内には、電源装置基板４７を前面に取り付けた電源装置４５、ホッパ装置３７から溢れたメダルを収容するための補助貯留部４６が設けられる他、上記した透過窓１４に対向させた回胴リール１７ａ，１７ｂ，１７ｃを回転駆動するための電動モータ（図示していない）とを備えたリール装置１７が設けられている。
リール装置１７の上側には回胴装置基板４８と主制御基板４９とが配置されているとともに、その主制御基板４９の一側方には外部集中端子基板５０を筐体１０の内壁面に取り付けている。
【００４７】
すなわち、電源装置基板４７と、回胴装置基板４８、主制御基板４９、外部集中端子基板５０も、上述したサブ制御基板３４及び中央表示基板４２と同様に、絶縁性樹脂基板上に集積回路装置（ＩＣ）等を搭載したものである。なお、サブ制御基板３４と主制御基板４９は、それぞれ硬質プラスチックの収納ケース内に収納されたユニット構造となっている。
【００４８】
次に、図３を参照して回路構成について説明する。図３は、回路構成を示すブロック図である。
上記した主制御基板４９は、本スロットマシンＢを制御中枢となるものであり、この主制御基板４９を中心としてサブ制御基板３４、中央表示基板４２、電源装置基板４７、回胴装置基板４８、外部集中端子基板５０がそれぞれ所定の配線ケーブル（図示しない）を介して接続されている。
【００４９】
主制御基板４９には、半導体メモリ（ＲＯＭ）と、マイクロプロセッサ（ＭＰＵ）が搭載されており、そのマイクロプロセッサが、半導体メモリに予め記憶されているシステムプログラムとスロットマシンゲーム用のプログラムを実行することにより、各基板３４，４２，４７，４８，５０を制御することによって、本スロットマシンＢの動作状況とゲームの進行を統括管理している。
【００５０】
サブ制御基板３４には、演出用スピーカ３１，３２，４１と演出用ランプ１２ａ，１５，１６と演出表示装置３３がそれぞれ所定の配線ケーブル（図示しない）を介して配線接続されており、主制御基板４９から出力される指示に従って演出用スピーカ３１，３２，４１、演出用ランプ１２ａ，１５，１６及び演出表示装置３３を駆動することにより、遊技者の視覚や聴覚に訴える演出を行うようになっている。
【００５１】
回胴装置基板４８は、回胴リール装置１７が接続されており、主制御基板４９から出力されるモータ駆動指示信号ＭＴＳの指令に従って電動モータへの駆動電力と駆動タイミングを制御することにより、回胴リール１７ａ，１７ｂ，１７ｃの回転，制動及び停止の制御を行うようになっている。
すなわち、主制御基板４９中のマイクロプロセッサ（ＭＰＵ）は、遊技者がベットボタン２０〜２２の何れかをオン操作して１ゲーム当たりのメダル数を提示した後、スタートレバー２３をオン操作すると、役抽選を行って回胴リール１７ａ，１７ｂ，１７ｃを所定速度で回転させ、次に遊技者がストップボタン２４〜２６を適宜の順番でオン操作すると、そのオン操作された順番に従って回胴リール１７ａ，１７ｂ，１７ｃを順次に制動して最終的に停止させる。
【００５２】
そして、回胴リール１７ａ，１７ｂ，１７ｃに描かれている絵柄が上述の役抽選した役に相当する組み合わせで揃うと入賞、揃わないと外れと判断して１ゲーム当たりの処理を完了する。こうした遊技者の一連のオン操作を主制御基板４９中のマイクロプロセッサ（ＭＰＵ）が検知し、回胴リール１７ａ，１７ｂ，１７ｃの回転開始から最終的な停止までの制御を行うためにモータ駆動指示信号ＭＴＳを回胴装置基板４８に出力する。
一方、回胴装置基板４８は、供給されたモータ駆動指示信号ＭＴＳに従って電動モータを駆動制御することにより、回胴リール１７ａ，１７ｂ，１７ｃの回転，制動及び停止の制御を行うようになっている。
【００５３】
回胴装置基板４８は、モータ駆動指示信号ＭＴＳが供給されると、回胴リール１７ａ，１７ｂ，１７ｃが回転を開始し最終的に停止するまでの期間、換言すると電動モータに駆動電力を供給している期間を示すモータ駆動信号ＭＴＤを主制御基板４９中のマイクロプロセッサ（ＭＰＵ）へ返信する。
【００５４】
中央表示基板４２には、前記した設定表示素子４３と設定ボタン４４が接続されているとともに、また、セレクト機構３６と、ベットボタン２０〜２２、スタートレバー２３、ストップボタン２４〜２６、精算ボタン２７が所定の配線ケーブル（図示していない）を介して配線接続されている。
【００５５】
そして、中央表示基板４２は、ベットボタンＢ１，Ｂ２，Ｂ３とスタートレバー２３とストップボタン２０〜２２がそれぞれオン又はオフ操作されたことを示す操作信号ＳＧを主制御基板４９中のマイクロプロセッサ（ＭＰＵ）に転送し、ゲームの進行を制御させる。
また、精算ボタン２７がオン操作されると、中央表示基板４２は、そのオン操作されたことを示す精算信号ＭＲＳを主制御基板４９中のマイクロプロセッサ（ＭＰＵ）に転送する。そして、マイクロプロセッサ（ＭＰＵ）は、精算信号ＭＲＳを入力すると、電源装置基板４７を通じてホッパ装置３７に指令信号を出力して、遊技者の獲得した枚数のメダルを払い出させる。
【００５６】
また、セレクト機構３６には、メダル投入部１９から投入された投入物をメダルか否かを検知するための光学センサ，機械センサ若しくは磁気センサが設けられており、これらのセンサから出力される投入物検出信号ＳＬＧを中央表示基板４２が主制御基板４９中のマイクロプロセッサ（ＭＰＵ）へ転送する。
【００５７】
そして、マイクロプロセッサ（ＭＰＵ）にメダルが投入されたことを示す投入物検出信号ＳＬＧが入力されると、メダルの投入枚数を集計する。一方、メダル以外の異物が投入されたことを示す投入物検出信号ＳＬＧが入力されると、異常が発生したと判断し、上述のサブ制御基板３４に指令して、演出用スピーカ３１，３２，４１に警報音を発生させたり、演出用ランプ１２ａ，１５，１６によって警報表示を行わせる。
【００５８】
設定ボタン４４は、事業者や管理者等が出玉率を設定変更するために設けられており、設定表示素子４３は、１〜６の何れかの数字をセグメント表示することにより、設定ボタン４４によって設定変更された出玉率を段階表示するものである。
【００５９】
すなわち、設定ボタン４４がオン操作されると、中央表示基板４２は、そのオン操作される度に設定信号ＣＳＳを主制御基板４９中のマイクロプロセッサ（ＭＰＵ）へ転送し、マイクロプロセッサ（ＭＰＵ）は設定信号ＣＳＳを入力する毎に、予め６段階に決められている出玉率を順繰りに変化させ、更に変化させた出玉率に相当する数字を示す設定表示信号ＣＴＳを中央表示基板４２へ返送するようになっている。
そして、中央表示基板４２が設定表示信号ＣＴＳに基づいて設定表示素子４３に数字をセグメント表示させることにより、事業者や管理者等に設定変更された出玉率の情報を知らせるようになっている。
【００６０】
電源装置基板４７には、図２にも示しているように、電源スイッチ５１と、設定スイッチ５３、システムリセットスイッチ５４が配設されている。また、電源装置基板４７には、電源装置４５で発生される各種電源電圧をホッパ装置３７その他の各所に配電する配電回路が形成されており、その配電回路からスロットマシンＢの動作に必要なシステム電源が供給されている。
【００６１】
電源スイッチ５１は、スロットマシンＢの動作に必要なシステム電源の供給又は遮断を行うために設けられており、電源装置４５から出力されるシステム電源の制御システムへの供給をオン／オフ制御することにより、制御システムをパワーオンリセットするために設けられている。
【００６２】
電源装置基板４７は、電源スイッチ５１がオン／オフ操作されると、そのオン／オフ操作されたことを示すシステム電源操作信号ＢＱＳを主制御基板４９中のマイクロプロセッサ（ＭＰＵ）へ転送し、制御システム全体をパワーオンリセットさせるための処理を行わせる。
【００６３】
設定スイッチ５３は、設定キー５５と、電源装置基板４７に配設されたキーシリンダ５６とからなり、差し込まれた設定キー５５が、正面視において時計回りに操作され又は反時計回りに戻されたことを示す設定操作信号ＢＯＳを出力する。そして、電源装置基板４７が設定操作信号ＢＯＳを主制御基板４９中のマイクロプロセッサ（ＭＰＵ）に転送する。
【００６４】
マイクロプロセッサ（ＭＰＵ）は、電源スイッチ５１がオン状態のときに、上記の設定キー５５が時計回りに操作（オン操作）されたことを示す設定操作信号ＢＯＳを入力すると、出玉率の設定確認を開始すべき旨の指示がなされたと判断し、現在設定されている出玉率を設定表示素子４３に表示する。そして、設定キー５５が反時計回りに操作（オフ操作）されたことを示す設定操作信号ＢＯＳを入力すると、出玉率の設定確認を終了すべき旨の指示がなされたと判断する。
【００６５】
また、上記の設定キー５５が時計回りに操作された後、電源装置４５がオン状態になったときに、上記の設定キー５５が時計回りに操作されたことを示す設定操作信号ＢＯＳを入力すると、出玉率の設定変更を開始すべき旨の指示がなされたと判断し、反時計回りに操作されたことを示す設定操作信号ＢＯＳを入力すると、出玉率の設定変更を終了すべき旨の指示がなされたと判断する。
【００６６】
より詳細に述べると、マイクロプロセッサ（ＭＰＵ）は、上記の設定キー５５が時計回りに操作されたことを示す設定操作信号ＢＯＳを入力した後、さらに電源スイッチ５１によってパワーオンリセットの操作がなされると、出玉率の設定変更を開始すべきと判断して、上述の中央表示基板４２に設けられている設定ボタン４４からの設定信号ＣＳＳの入力を開始する。
【００６７】
そして、上述したように設定ボタン４４が押下される毎に設定表示素子４３に数字をセグメント表示させ、スタートレバー２３がオン操作されると、最後に設定変更された出玉率に確定する。そして、上述の設定キー５５が反時計回りに操作されたことを示す設定操作信号ＢＯＳを入力すると、出玉率の設定変更の操作が終了したと判断して、当該確定した出玉率に基づいてゲーム動作を再開する。
【００６８】
外部集中端子基板５０は、ホールコンピュータＣとの間で信号の出力又は入力を行うものであり、上述した制御中に得られる「メダル投入信号」、「メダル払い出し信号」、「役物動作信号」、「役物連続作動装置動作信号」、「役物連続作動増加装置動作信号」、「高確率役物遊技信号」と呼ばれる６種の出力信号Ｓ１〜Ｓ６をホールコンピュータＣに出力し、また、「打ち止め解除信号」と呼ばれる入力信号ＩＮをホールコンピュータＣから入力する構成となっている。
【００６９】
電源装置基板４７は、前記した精算ボタン２７がオン操作されると、主制御基板４９中のマイクロプロセッサ（ＭＰＵ）からの指示に従ってホッパ装置３７を制御することにより、メダルの払い出しを行わせる。
そして、ホッパ装置３７のメダル出力部に設けられているメダル検知センサから出力されるメダル検出信号ＭＲＳＳをマイクロプロセッサ（ＭＰＵ）へ返送する。なお、メダル検知センサは、ホッパ装置３７のメダル出力部から出力されるメダルを１枚ずつ検知したことを示すメダル検出信号ＭＲＳＳを出力する。
【００７０】
システムリセットスイッチ５４は、スロットマシンＢに何らかのシステムエラーが生じた場合に、スロットマシンＢを元の正常動作に復帰させるために設けられている。
すなわち、事業者や管理者がシステムリセットスイッチ５４をオン操作すると、電源装置基板４７がシステムリセット信号ＲＯＳを主制御基板４９中のマイクロプロセッサ（ＭＰＵ）に供給し、所定のエラーチェックを行わせて元の正常動作に復帰させるようになっている。
【００７１】
次に、本発明の一実施形態に係る不正報知装置について説明する。図４は、本発明の一実施形態に係る不正報知装置の全体構成を示すブロック図、図５は、一実施形態に係る検知器の分解斜視図、図６（Ａ）は、その検知器の正面図、（Ｂ）は、その上面図、図７は、キーシリンダとキー差込み検知センサの詳細を示す拡大図、図８は、キーシリンダとキー操作検知センサの詳細を示す拡大図である。
【００７２】
図４に示すように、本発明の一実施形態に係る不正報知装置Ａは、本装置の制御中枢となる制御部８０の入力側に、前記したキーシリンダ５６の差込み口５６ａに近接配置した検知器Ｄと、電源装置４５のオン／オフ状態を検出するための、例えば電流センサ等の電源オン／オフ検出センサ８１が接続されており、また、出力側にＬＡＮ等の電気通信回線を介してホールコンピュータＣが接続されている。
【００７３】
図５，６に示すように、検知器Ｄは、キーシリンダ５６に差し込まれている設定キー５５を検知するための第一の検知センサ８２と、スロットマシンＢから取り外されたことを検出するための第二の検知センサ８３とを一体に形成した構成になっている。
【００７４】
具体的には、キーシリンダ５６に設定キー５５が差し込まれたことを検知するためのキー差込み検知センサ（第一の検知センサ）８２と、このキー差込み検知センサ８２が、スロットマシンＢから取り外されたことを検出するための取外し検知センサ（第二の検知センサ）８３とを支持体８４に一体にして搭載したことを主要の構成としている。
【００７５】
支持体８４は、互いにほぼ同じ輪郭にした基板８５、第一のスペーサ８６及び第二のスペーサ８７を互いに積層させ、これらを例えば接着剤により接着した積層構造になっている。
【００７６】
基板８５、従ってまた、第一のスペーサ８６及び第二のスペーサ８７は、キーシリンダ５６の直径よりもやや大きな円弧形の切欠き８５ａ（８６ａ，８７ａ）を形成した縦横４０（ミリ）×２２（ミリ）ほどに形成されている。
【００７７】
基板８５の裏面であって切欠き８５ａの対向端部には、キー差込み検知センサ（第一の検知センサ）８２をなす一対の発光素子８８と受光素子８９を互いに対向させて配設している。
この基板８５の裏面には、キー差込み検知センサ８２の他、上記した取外し検知センサ８３、電子部品９０とともに、外部回路に接続するためのコネクタ９１を搭載している。
取外し検知センサ８３は、発光素子と受光素子（図示しない）とを一体的に形成した光センサであり、検知光を下面に向けて送受できるようにして取り付けられている。換言すると、検知光をスロットマシンＢの取付け面４７ａに向けて送出し、その取付け面４７ａから反射された検知光を受光することにより、検知器ＤがスロットマシンＢから取り外されたことを検知できるようにしている。
【００７８】
スペーサ８６は、発光素子８８、受光素子８９、取外し検知センサ８３、電子部品９０に対向する位置に、それぞれ切欠き８６ｂ，８６ｂ、８６ｃ，８６ｄが形成され、また、スペーサ８７は、取外し検知センサ８３に対向する位置に切欠き８７ｂが形成されている。
このような構成からなる検知器Ｄは、両面テープ９２によって、キーシリンダ５６に近接して貼着されている。なお、両面テープ９２には、取外し検知センサ８３に対向する位置に、切欠き９２ａが形成されている。
【００７９】
キーシリンダ５６は、図５，７，８に示すように、差込み位置（ア）と作動位置（イ）との間で差込み口５６ａが回動するようになっている。本実施形態においては、差込み位置（ア）にある差込み口５６ａに差し込んだ設定キー５５を、差込み位置（ア）から作動位置（イ）に回す操作をオン操作といい、作動位置（イ）から差込み位置（ア）に回す操作をオフ操作という。
【００８０】
前述した検知器Ｄとキーシリンダ５６との配置関係は、図７に示すように、一対の発光素子８８と受光素子８９を、差込み位置（ア）にある差込み口５６ａの中央部両側（図示左右側部）に位置するように検知器Ｄを配置している。これにより、キーシリンダ５６に差し込まれた設定キー５５を確実に検知することができる。
【００８１】
本実施形態においては、図７に示すような配置関係にすることにより、検知器Ｄを、キーシリンダ５６に差し込まれた設定キー５５を検知するように機能させているが、図８に示す配置関係にすることにより、第一の検知センサを、キーシリンダ５６に差し込まれている設定キー５５が操作されたことを検知するためのキー操作検知センサとして機能させることができる。
すなち、一対の発光素子８８と受光素子８９の間で送受される検知光が、差込み位置（ア）にある差込み口５６ａと平行となり、かつ、差込み口５６ａのいずれか一方にやや位置ずれさせて検知器Ｄを配置している。
【００８２】
「差込み口５６ａのいずれか一方にやや位置ずれさせて」とは、差込み位置（ア）から作動位置（イ）に回される設定キー５５を検知できる程度の範囲である。これにより、キーシリンダ５６に差し込まれている設定キー５５の操作を確実に検知することができる。  すなわち、キーシリンダ５６の差込み口５６ａと検知器Ｄとを図７，８に示す配置関係にすることにより、同じ検知器Ｄに、キーシリンダ５６に差し込まれた設定キー５５を検知する機能と、キーシリンダ５６に差し込まれている設定キー５５が操作されたことを検知するための機能とを持たせることができるのである。
【００８３】
図９は、本発明の一実施形態に係る不正報知装置が有する機能を説明するためのブロック図である。
制御部８０は、所要のプログラムを実行することにより、次の機能を有している。
（１）電源オン／オフ検出センサ８１から出力される検出信号により、電源装置４５のオン／オフ状態を判定する機能（電源状態判定手段８０ａ）。
本実施形態においては、電源装置４５のオン／オフ状態を判定する機能の他、次の機能を併有している。
・電源オン／オフ検出センサ８１から出力される検出信号により、電源装置４５のオン状態を判定する機能。
・電源オン／オフ検出センサから出力される検出信号により、電源装置４５のオフ状態を判定する機能。
【００８４】
（２）キー差込み検知センサ８２から出力される差込み検知信号により、キーシリンダ５６に設定キー５５が差し込まれたか否かを判定する機能（キー差込み判定手段８０ｂ）。
【００８５】
（３）電源状態判定手段８０ａで検出した電源装置４５のオン／オフ状態と、キー差込み判定手段８０ｂにより判定したキーシリンダ５６への設定キー５５の差し込みの有無との組み合わせが所定のものになったか否かを判定する機能（不正行為判定手段８０ｃ）。
本実施形態においては、次の機能を併有している。
・電源装置４５がオン状態であるときに、キーシリンダ５６に設定キー５５が差し込まれたか否かを判定する機能。
・電源装置４５がオフ状態であるときにキーシリンダ５６に設定キー５５が差し込まれ、かつ、キーシリンダ５６に設定キー５５が差し込まれているときに電源装置４５がオン状態になったか否かを判定する機能。
【００８６】
（４）キー差込み検知センサ８２が、回胴式遊技機から取り外されたことを検出するための取外し検知センサ８３から出力された取外し検知信号により、キー差込み検知センサ８２が回胴式遊技機から取り外されたか否かを判定する機能（取外し判定手段８０ｄ）。
【００８７】
（５）電源装置４５のオン／オフ状態と、キーシリンダ５６への設定キー５５の差し込みの有無との組み合わせが所定のものになったと判定したときに、不正行為が行われていることを報知する機能（不正行為報知手段８０ｅ）。
本実施形態においては、次の機能を併有している。
・電源装置４５がオン状態のときに、キーシリンダ５６に設定キー５６が差し込まれたと判定した場合には、不正行為が行われていることを報知している。
・電源装置４５がオフ状態であるときにキーシリンダ５６に設定キー５５が差し込まれ、かつ、キーシリンダ５６に設定キー５５が差し込まれているときに電源装置４５がオン状態になったと判定した場合には、不正行為が行われていることを報知する機能。
「不正行為が行われていることの報知」は、本実施形態においては、ホールコンピュータＣに向けて不正行為が行われていることを示す報知情報を送出するようにしている。
「報知情報」としては、不正行為が行われているスロットマシンを識別するための識別情報と、設定確認行為及び設定変更行為を判別するための行為を判別するための判別情報、当該行為が行われた時間等を含ませることができる。
【００８８】
「不正行為が行われていることの報知」の態様は、ホールコンピュータＣに設けられているモニタ（図示しない）に、識別情報に基づいて表示されるスロットマシンＢを示すマークを点滅させること、そのマークの色彩を不正行為が行われていないときとは異ならせること等の視覚的な内容のものの他、ブザー等の聴覚的な内容のものである。
【００８９】
（６）取外し判定手段８０ｄにより、キー差込み検知センサ８２が回胴式遊技機から取り外されたと判定したときには、取り外されたことを報知する機能（センサ取外し報知手段８０ｆ）。
「取り外されたことの報知」は、本実施形態においては、ホールコンピュータＣに向けて検知器Ｄが取り外されたことを示す報知情報を送出するようにしている。
「報知情報」としては、検知器Ｄが取り外されたスロットマシンを識別するための識別情報と、取り外された時刻情報を含ませることができる。
「取り外されたことの報知」の態様は、ホールコンピュータＣに設けられているモニタ（図示しない）に、識別情報に基づいて表示されるスロットマシンＢのマークを点滅させること、そのマークの色彩を取り外されていないときとは異ならせること等の視覚的な内容のものの他、ブザー等の聴覚的な内容のものである。
【００９０】
本実施形態においては、上述した（１）〜（６）に示す機能（手段）を有しているが、次のような機能（手段）を有するものとしてもよい。
（７）キー操作検知センサ８２から出力されるキー操作検知信号により、キーシリンダ５６に差し込まれた設定キー５５が操作されたか否かを判定する機能（キー操作判定手段８０ｇ）。
「キーシリンダに差し込まれている設定キーが操作されたことを検知するためのキー操作検知センサ」は、検知器Ｄを、図８に示す関係にしてキーシリンダ５６に近接配置すればよい。
本実施形態においては、次の機能を併有している。
・キー操作検知センサ８２から出力されるキー操作検知信号により、キーシリンダ５６に差し込まれた設定キー５５がオン操作されたか否かを判定する機能。
キー操作検知センサ８２から出力される操作検知信号により、キーシリンダ５６に差し込まれている設定キーがオン／オフ操作されたか否かを判定する機能。
【００９１】
（８）電源状態判定手段８０ａで検出した電源のオン／オフ状態と、キー操作判定手段８０ｇで検知した設定キー５５の操作の有無との組み合わせが所定のものになったか否かを判定する機能（不正行為判定手段８０ｈ）。
本実施形態においては、次の機能を併有している。
・電源装置４５がオン状態であるときに、キーシリンダ５６に差し込まれた設定キー５５がオン操作されたか否かを判定する機能。
・電源装置４５がオフ状態であるときに、キーシリンダ５６に差し込まれている設定キー５５がオン操作され、かつ、キーシリンダ５６に差し込まれている設定キー５５がオン操作されているときに、電源装置４５がオン状態になったか否かを判定する機能。
・電源装置４５がオフ状態であるときに、キーシリンダ５６に差し込まれている設定キー５５がオン操作された後に電源装置４５がオン状態になり、その後、キーシリンダ５６に差し込まれている上記の設定キー５５がオフ操作されたか否かを順次判定する機能。
【００９２】
（９）電源状態判定手段８０ａで検出した電源装置４５のオン／オフ状態と、キーシリンダに差し込んだ設定キーの操作の有無との組み合わせが所定のものになったと判定したときに、不正行為が行われていることを報知する機能（不正行為報知手段８０ｉ）。
本実施形態においては、次の機能を併有している。
・電源装置４５がオン状態のときに、キーシリンダ５６に差し込まれている設定キー５５がオン操作されたと判定した場合には、不正行為が行われていることを報知する機能。
・電源装置４５がオフ状態であるときに、キーシリンダ５６に差し込まれている設定キー５５がオン操作され、かつ、キーシリンダ５６に差し込まれている設定キー５５がオン操作されているときに、電源装置４５がオン状態になったと判定した場合には、不正行為が行われていることを報知する機能。
・電源装置４５がオフ状態であるときに、キーシリンダ５６に差し込まれている設定キー５５がオン操作された後に電源装置４５がオン状態になり、その後、キーシリンダ５６に差し込まれている上記の設定キー５５がオフ操作されたと判定された場合には、不正行為が行われていることを報知する機能。
【００９３】
（１０）取外し検知センサ８３から出力された取外し検知信号により、キー操作検知センサ８２が回胴式遊技機から取り外されたか否かを判定する機能（取外し判定手段８０ｊ）。
本実施形態においては、検知器Ｄが回胴式遊技機から取り外されたか否かを判定している。
（１１）取外し判定手段８０ｊにより、キー操作検知センサ８２が回胴式遊技機から取り外されたと判定したときには、取り外されたことを報知する機能（センサ取外し報知手段８０ｋ）。
【００９４】
次に、本発明に係る不正報知装置Ａの報知動作について、図１０，１１を参照して説明する。図１０は、キーシリンダに設定キーが差し込まれたことを検知したことによる動作状態を示すフローチャートである。
ステップ１（図中、「Ｓ１」と略記する）：電源装置４５がオン状態であるか否かを判定し、オン状態であればステップ２に進み、オフ状態であればステップ３に進む。
ステップ２：キーシリンダ５６に設定キー５５が差し込まれたか否かを判定し、差し込まれたと判定すれば、ステップ４に進む。
ステップ３：キーシリンダ５６に設定キー５５が差し込まれたか否かを判定し、差し込まれたと判定すれば、ステップ５に進む。
ステップ４：不正行為が行われていることを報知して、処理を終了する。
ステップ５：電源装置４５がオン状態か否かを判定し、オン状態であればステップ６に進む。
ステップ６：不正行為が行われていることを報知して、処理を終了する。
【００９５】
図１１は、キーシリンダに差し込まれている設定キーが操作されたことを検知したことによる動作状態を示すフローチャートである。
ステップ１（図中、「Ｔ１」と略記する）：電源装置４５がオン状態であるか否かを判定し、オン状態であればステップ２に進み、オフ状態であればステップ３に進む。
ステップ２：キーシリンダ５６に差し込まれた設定キー５５がオン操作されたか否かを判定し、差し込まれたと判定すればステップ４に進む。
ステップ３：キーシリンダ５６に差し込まれている設定キー５５がオン操作されたか否かを判定し、オン操作されたと判定すれば、ステップ５に進む。
ステップ４：不正行為が行われていることを報知して、処理を終了する。
ステップ５：電源装置４５がオン状態か否かを判定し、オン状態であればステップ６に進む。
ステップ６：不正行為が行われていることを報知して、処理を終了する。
【００９６】
上述した実施形態においては、前述した各手段を不正報知装置に設けた構成のものについて説明したが、次のような構成にすることができる。
出玉率の設定変更と設定確認を行うための設定キー及びこれを差し込むためのキーシリンダとからなる設定スイッチと、電源装置とを有する１又は２台以上の回胴式遊技機に、電気通信回線を介してホールコンピュータが接続されているとともに、上記キーシリンダに設定キーが差し込まれたことを検知するためのキー差込み検知センサと、電源装置のオン／オフ状態を検出するための電源オン／オフ検出センサとを配設した遊技システムであって、電源オン／オフ検出センサから出力される検出信号により、電源装置のオン／オフ状態を判定する電源状態判定手段と、キー差込み検知センサから出力される差込み検知信号により、キーシリンダに設定キーが差し込まれたか否かを判定するキー差込み判定手段と、電源状態判定手段で検出した電源装置のオン／オフ状態と、キー差込み判定手段により判定したキーシリンダへの設定キーの差し込みの有無との組み合わせが所定のものになったか否かを判定する不正行為判定手段と、電源装置のオン／オフ状態と、キーシリンダへの設定キーの差し込みの有無との組み合わせが所定のものになったと判定したときに、不正行為が行われていることを報知する不正行為報知手段とをホールコンピュータに設けた構成。
【００９７】
出玉率の設定変更と設定確認を行うための設定キー及びこれを差し込むためのキーシリンダとからなる設定スイッチと、電源装置とを有する１又は２台以上の回胴式遊技機に、電気通信回線を介してホールコンピュータが接続されているとともに、上記キーシリンダに差し込まれている設定キーが操作されたことを検知するためのキー操作検知センサと、電源装置のオン／オフ状態を検出するための電源オン／オフ検出センサとを配設した遊技システムであって、電源オン／オフ検出センサから出力される検出信号により、電源装置のオン／オフ状態を判定する電源状態判定手段と、キー操作検知センサから出力されるキー操作検知信号により、キーシリンダに差し込まれている設定キーがオン操作されたか否かを判定するキー操作判定手段と、電源状態判定手段で検出した電源のオン／オフ状態と、キー操作判定手段で検知した設定キーの操作の有無との組み合わせが所定のものになったか否かを判定する不正行為判定手段と、電源状態判定手段で検出した電源装置のオン／オフ状態と、キーシリンダに差し込んだ設定キーの操作の有無との組み合わせが所定のものになったと判定したときに、不正行為が行われていることを報知する不正行為報知手段とをホールコンピュータに設けた構成。
これらの構成においても、各手段が前述した実施形態において説明した（１）〜（１１）において詳述した各個別の機能を併有してもよいことは勿論である。
【００９８】
上記においては、電源状態判定手段、キー差込み判定手段、不正行為判定手段、及び不正行為報知手段とを設けた不正報知装置について説明したが、出玉率の設定変更と設定確認を行うための設定キー及びこれを差し込むためのキーシリンダとからなる設定スイッチを有する回胴式遊技機に、そのキーシリンダに設定キーが差し込まれたことを検知するためのキー差込み検知センサを配設しておき、キー差込み検知センサから出力される差込み検知信号により、キーシリンダに設定キーが差し込まれたか否かを判定するキー差込み判定手段と、キーシリンダへの設定キーの差し込みがあったと判定したときに、不正行為が行われていることを報知する不正行為報知手段とを有する構成としてもよい。
【００９９】
さらに、出玉率の設定変更と設定確認を行うための設定キー及びこれを差し込むためのキーシリンダとからなる設定スイッチを有する回胴式遊技機に、そのキーシリンダに差し込まれている設定キーが操作されたことを検知するためのキー操作検知センサを配設しておき、キー操作検知センサから出力されるキー操作検知信号により、キーシリンダに差し込まれた設定キーがオン操作されたか否かを判定するキー操作判定手段と、キーシリンダに差し込まれている設定キーがオン操作されたと判定したときには、不正行為が行われていることを報知する不正行為報知手段とを有する構成にしてもよい。
【０１００】
なお、上述した実施形態においては、不正報知装置が、電気通信回線を介してホールコンピュータに接続されており、不正行為報知手段が、ホールコンピュータに向けて不正行為が行われていることを示す報知情報を送出する例について説明したが、各スロットマシンにパトライトを配置して、そのパトライトを点灯させることにより不正行為が行われていることを示すようにしてもよく、また、ブザーを作動させることにより、不正行為が行われていることを示してもよい。
すなわち、遊技場側の事業者等により、不正行為や不正行為者を発見できる態様での報知ができればよいのである。
【図面の簡単な説明】
【０１０１】
【図１】本発明の一実施形態に係る不正報知装置を適用する回胴式遊技機の外観を示す正面図である。
【図２】同上の回胴式遊技機の内部構造を示すようにフロントドアを開いた状態を示す正面図である。
【図３】回胴式遊技機の回路構成を示すブロック図である。
【図４】本発明の一実施形態に係る不正報知装置の全体構成を簡略化して示すブロック図である。
【図５】一実施形態に係る検知器の分解斜視図である。
【図６】（Ａ）は、同上の検知器の正面図、（Ｂ）は、その上面図である。
【図７】キーシリンダとキー差込み検知センサの詳細を示す拡大図である。
【図８】キーシリンダとキー操作検知センサの詳細を示す拡大図である。
【図９】本発明の一実施形態に係る不正報知装置が有する機能を説明するためのブロック図である。
【図１０】キーシリンダに設定キーが差し込まれたことを検知したことによる動作状態を示すフローチャートである。
【図１１】キーシリンダに差し込まれている設定キーが操作されたことを検知したことによる動作状態を示すフローチャートである。
【符号の説明】
【０１０２】
４５            電源装置
５３            設定スイッチ
５５            設定キー
５６            キーシリンダ
８０ａ          電源状態判定手段
８０ｂ          キー差込み判定手段
８０ｃ          不正行為判定手段
８０ｉ          不正行為報知手段
８０ｇ          キー操作判定手段
８０ｊ          取外し判定手段
８０Ｋ          センサ取外し報知手段
８１            電源オン／オフ検出センサ
８２            キー差込み検知センサ（キー操作検知センサ）
８３            取外し検知センサ
Ｄ              検知器
【図１】
2007215949.tif 000003
【図２】
2007215949.tif 000004
【図３】
2007215949.tif 000005
【図４】
2007215949.tif 000006
【図５】
2007215949.tif 000007
【図６】
2007215949.tif 000008
【図７】
2007215949.tif 000009
【図８】
2007215949.tif 000010
【図９】
2007215949.tif 000011
【図１０】
2007215949.tif 000012
【図１１】
2007215949.tif 000013